【手続補正書】
【提出日】平成15年12月3日(2003.12.3)
【手続補正１】
【補正対象書類名】明細書
【補正対象項目名】特許請求の範囲
【補正方法】変更
【補正の内容】
【特許請求の範囲】
【請求項１】
アングルの異なる画像情報が複数のインターリーブドユニット（ILVU：Interleaved Unit）に分割されインターリーブされたビデオオブジェクトユニット（VOBU：Video Object Unit） を含む複数のＶＯＢＵからなるセル構造の画像情報がプレゼンテーションのエッセンス及び順序を述べたＰＧＣ情報（PGCI：PGC Information）に基づいて整数個のプログラム（PG：Program）により構成されるプログラムチェーン（PGC：Program Chain）として記録された記録媒体から、ＰＣＩに基づいてＰＧＣを再生するデータ再生装置であって、
変速再生時に、アングル切り換えコマンドを受け付けてアングル切り換えを行う制御を行う制御手段を備えることを特徴とするデータ再生装置。
【請求項２】
上記制御手段は、ポーズ動作時にアングル切り換えコマンドを受け付け、セル内のタイムコードサーチにより目的のアングルの画像を得るべきＶＯＢＵの再生アドレスを求めて、静止画を出力する制御を行うことを特徴とする請求項１記載のデータ再生装置。
【請求項３】
上記制御手段は、予め設定されたＡ点とＢ点との間を繰り返し再生するＡ−Ｂリピート動作時に、アングル切り換えコマンドを受け付け、アングル切り換えコマンドにより指定された新たなアングルの画像へのアングル切り換えを行い、セル内のタイムコードサーチによりアングル切り換えコマンドにより指定された新たなアングルの画像をＡ点とＢ点の再生アドレスを求めて、アングル切り換えされた新たなアングルの画像をＡ点とＢ点との間で繰り返し再生する制御を行うことを特徴とする請求項１記載のデータ再生装置。
【請求項４】
上記制御手段は、順方向高速再生時にアングル切り換えコマンドを受け付けると、インターリーブされたビデオオブジェクトユニットの終了アドレスを越える時点でアングル切り換えを実行する制御を行うことを特徴とする請求項１記載のデータ再生装置。
【請求項５】
上記制御手段は、逆方向再生時にアングル切り換えコマンドを受け付けると、インターリーブされたビデオオブジェクトユニットの先頭アドレスを越えるまで逆方向再生を行い、上記先頭アドレスを越えた時点でアングル切り換えを実行し、さらに、逆方向再生を行う制御を行うことを特徴とする請求項１記載のデータ再生装置。
【請求項６】
アングルの異なる画像情報が複数のインターリーブドユニット（ILVU：Interleaved Unit）に分割されインターリーブされたビデオオブジェクトユニット（VOBU：Video Object Unit） を含む複数のＶＯＢＵからなるセル構造の画像情報がプレゼンテーションのエッセンス及び順序を述べたＰＧＣ情報（PGCI：PGC Information）に基づいて整数個のプログラム（PG：Program）により構成されるプログラムチェーン（PGC：Program Chain）として記録された記録媒体から、ＰＣＩに基づいてＰＧＣを再生するデータ再生方法であって、ポーズ動作時に、アングル切り換えコマンドを受け付け、セル内のタイムコードサーチにより目的のアングルの画像を得るべきＶＯＢＵの再生アドレスを求めて、静止画を出力することを特徴とするデータ再生方法。
【請求項７】
アングルの異なる画像情報が複数のインターリーブドユニット（ILVU：Interleaved Unit）に分割されインターリーブされたビデオオブジェクトユニット（VOBU：Video Object Unit） を含む複数のＶＯＢＵからなるセル構造の画像情報がプレゼンテーションのエッセンス及び順序を述べたＰＧＣ情報（PGCI：PGC Information）に基づいて整数個のプログラム（PG：Program）により構成されるプログラムチェーン（PGC：Program Chain）として記録された記録媒体から、ＰＣＩに基づいてＰＧＣを再生するデータ再生方法であって、予め設定されたＡ点とＢ点との間を繰り返し再生するＡ−Ｂリピート動作時に、アングル切り換えコマンドを受け付け、アングル切り換えコマンドにより指定された新たなアングルの画像へのアングル切り換えを行い、セル内のタイムコードサーチによりアングル切り換えコマンドにより指定された新たなアングルの画像をＡ点とＢ点の再生アドレスを求めて、アングル切り換えされた新たなアングルの画像をＡ点とＢ点との間で繰り返し再生することを特徴とするデータ再生方法。
【請求項８】
アングルの異なる画像情報が複数のインターリーブドユニット（ILVU：Interleaved Unit）に分割されインターリーブされたビデオオブジェクトユニット（VOBU：Video Object Unit） を含む複数のＶＯＢＵからなるセル構造の画像情報がプレゼンテーションのエッセンス及び順序を述べたＰＧＣ情報（PGCI：PGC Information）に基づいて整数個のプログラム（PG：Program）により構成されるプログラムチェーン（PGC：Program Chain）として記録された記録媒体から、ＰＣＩに基づいてＰＧＣを再生するデータ再生方法であって、順方向高速再生時にアングル切り換えコマンドを受け付けると、インターリーブされたビデオオブジェクトユニットの終了アドレスを越える時点でアングル切り換えを実行するを行うことを特徴とするデータ再生方法。
【請求項９】
アングルの異なる画像情報が複数のインターリーブドユニット（ILVU：Interleaved Unit）に分割されインターリーブされたビデオオブジェクトユニット（VOBU：Video Object Unit） を含む複数のＶＯＢＵからなるセル構造の画像情報がプレゼンテーションのエッセンス及び順序を述べたＰＧＣ情報（PGCI：PGC Information）に基づいて整数個のプログラム（PG：Program）により構成されるプログラムチェーン（PGC：Program Chain）として記録された記録媒体から、ＰＣＩに基づいてＰＧＣを再生するデータ再生方法であって、逆方向再生時にアングル切り換えコマンドを受け付けると、インターリーブされたビデオオブジェクトユニットの先頭アドレスを越えるまで逆方向再生を行い、上記先頭アドレスを越えた時点でアングル切り換えを実行し、さらに、逆方向再生を継続することを特徴とするデータ再生方法。
【手続補正２】
【補正対象書類名】明細書
【補正対象項目名】０００３
【補正方法】変更
【補正の内容】
【０００３】
ＤＶＤ−ＶＩＤＥＯディスクでは、収録するデータを主映像用のビデオデータストリーム、オーディオ用のオーディオデータストリーム、字幕等のサブピクチャストリームとして、パケット多重化方式により記録するようにしている。そして、カメラアングルの異なる画像情報を複数のインターリーブドユニット（ILVU：Interleaved Unit）に分割してインターリーブしたマルチアングルブロックとして記録しておくことにより、再生時にアングル切り換えを行うことができるようになっている。


【手続補正３】
【補正対象書類名】明細書
【補正対象項目名】０００７
【補正方法】変更
【補正の内容】
【０００７】
ここで、ビデオオブジェクトセット（VOBS：Video Object Set）は、図３に示すように、１個以上のビデオオブジェクト（VOB：Video Object）で構成される。ＶＯＢ  ＩＤ番号（VOB_IDN：VOB ID number）は、ＶＯＢＳ内の最も小さな論理セクタ番号（LSN：Logical Sector number）のＶＯＢからアサインされる。ＶＯＢは、１個以上のセル（Cell）からなる。セルＩＤ番号（C_IDN：Cell ID number ）は、ＶＯＢ内の最も小さな論理セクタ番号（LSN：Logical Sector number）のセルからアサインされる。また、セル（Cell）は、整数個のビデオオブジェクトユニット（VOBU：Video Object Unit ）により構成される。ＶＯＢＵは、整数個のオーディオパック（A_PCK：Audio Pack ），ビデオパック（V_PCK：Video Pack），サブピクチャパック（SP_PCK：Sub-picture Pack）及びその先頭に配置されたナビゲーションパック（NV_PCK：Navigation Pack）からなる。


【手続補正４】
【補正対象書類名】明細書
【補正対象項目名】０００８
【補正方法】変更
【補正の内容】
【０００８】
ＶＯＢＳにおけるＶＯＢには、コンティギュアスブロック（CTGB：Contiguous Block）とインターリーブドブロック（ILVB：Interleaved Block） がある。ＣＴＧＢは、図４に示すように互いに隣接して位置される１個単位のＶＯＢである。また、ＩＬＶＢは、図５に示すように、インターリーブされた複数個のＶＯＢからなる。ＩＬＶＢにおける各ＶＯＢは、それぞれ複数のインターリーブドユニット（ILVU：Interleaved Unit）に分割されている。


【手続補正５】
【補正対象書類名】明細書
【補正対象項目名】００１０
【補正方法】変更
【補正の内容】
【００１０】
上記ＰＣＩパケットとして与えられるプレゼンテーション制御情報（PCI：Presentation Control Information） は、ＶＯＢＵのプレゼンテーションを制御するためのナビゲーションデータである。このＰＣＩは、図７に示すように、ＰＣＩ全体情報（PCI_GI：PCI General Information packet）、ノンシームレスアングル情報（NSML_AGLI：Angle Information for non-seamless） 、ハイライト情報（HLI:Highlight Information）及びレコーディング情報（RECI:Recording Information） の４種類からなる。ＰＣＩ＿ＧＩは、図８に示すように、ナビパックの論理ブロック番号（NV_PCK_LBN：Logical Block number of Navigation Pack）、ＶＯＢＵのカテゴリー（VOBU_CAT：Category of VOBU） 、ＶＯＢＵのユーザ操作制御（VOBU_UOP_CTL：User Operation control of VOBU） 、ＶＯＢＵのプレゼンテーション開始時間（VOBU_S_PTM：Start Presentation Time of VOBU）、ＶＯＢＵのプレゼンテーション終了時間（ＶＯＢＵ＿Ｅ＿ＰＴＭ（End PTM of VOBU）、ＶＯＢＵにおけるシーケンスのプレゼンテーション終了時間（VOBU_SE_E_PTM：End PTM of sequence in VOBU）やセル経過時間（C_ELTM：Cell Elapse Time） などの情報である。また、ＮＳＭＬ＿ＡＧＬＩは、図９に示すようなアングル切り換えにおける切り換え先の情報であり、ノンシームレスでのアングルセル切り換えにのみ有効とされる。


【手続補正６】
【補正対象書類名】明細書
【補正対象項目名】００１１
【補正方法】変更
【補正の内容】
【００１１】
また、上記ＤＳＩパケットとして与えられるデータサーチ情報（DSI：Data Search Information）は、ＶＯＢＵのシームレス再生及びサーチを行うためのナビゲーションデータである。このＤＳＩは、図１０に示すように、ＤＳＩ全体情報（DSI_GI：DSI General Information）、シームレス再生情報（SML_PBI：Seamless Playback Information）、シームレスアングル情報（SML_AGLI：Angle Information for seamless）、ＶＯＢＵサーチ情報（VOBU_SRI：VOB Unit Search Information）及び同期情報（SYNCI:Synchronous Information）の５種類からなる。ＤＳＩ＿ＧＩは、図１１に示すように、ＮＶ＿ＰＣＫ＿ＳＣＲ（ＳＣＲ＿System Clock Reference of Navigation Pack）、ＮＶ＿ＰＣＫ＿ＬＢＮ（Logical Block number of Navigation Pack）、ＶＯＢＵ＿ＥＡ（End address of VOBU） 、ＶＯＢＵ＿１ＳＴＲＥＦ＿ＥＡ（End address of the first Reference Picture in VOBU）、ＶＯＢＵ＿２ＮＤＲＥＦ＿ＥＡ（End address of the secnd Reference Picture in VOBU）、ＶＯＢＵ＿３ＲＤＲＥＦ＿ＥＡ（End address of the third Reference Picture in VOBU）、ＶＯＢＵ＿ＶＯＢ＿ＩＤＮ（VOB ID number of VOBU）、ＶＯＢＵ＿Ｃ＿ＩＤＮ（Cell ID number of VOBU） やＣ＿ＥＬＴＭ（Cell Elapse Time）などの情報である。ここで、上記ＶＯＢＵ＿１ＳＴＲＥＦ＿ＥＡ、ＶＯＢＵ＿２ＮＤＲＥＦ＿ＥＡ及びＶＯＢＵ＿３ＲＤＲＥＦ＿ＥＡは、図１２に示すように、ＤＳＩパケットのＶＯＢＵの第１論理ブロック（LB：Logical Block）ＬＢからの相対論理ブロック番号（RLBN：Relative Logical Block number）をもってＤＳＩパケットの後に続いて記録されたビデオパック（V_PCK：Video pack） であって、最初にエンコードされる参照画像（第１のＩピクチャ）の最終データのビデオパックのアドレスをＶＯＢＵ＿１ＳＴＲＥＦ＿ＥＡが示し、次にエンコードされる参照画像（Ｉピクチャ或いはＰピクチャ）の最終データのビデオパックのアドレスをＶＯＢＵ＿２ＮＤＲＥＦ＿ＥＡが示し、その次にエンコードされる参照画像（Ｉピクチャ或いはＰピクチャ）の最終データのビデオパックのアドレスをＶＯＢＵ＿３ＲＤ＿ＥＡが示す。


【手続補正７】
【補正対象書類名】明細書
【補正対象項目名】００１３
【補正方法】変更
【補正の内容】
【００１３】
さらに、上記ＳＭＬ＿ＡＧＬＩは、図１４に示すようなアングル切り換えにおける切り換え先の情報であり、シームレスでのアングルセル切り換えにのみ有効とされる。


【手続補正８】
【補正対象書類名】明細書
【補正対象項目名】００１４
【補正方法】変更
【補正の内容】
【００１４】
そして、ＤＶＤ−ＶＩＤＥＯディスクでは、図１５に示すようなプログラムチェーン（PGC：Program Chain）構造が採用されており、プレゼンテーションのエッセンス及び順序を述べたＰＧＣ情報（PGCI：PGC Information ）に基づいて、整数個のプログラム（PG：Program）により構成されるプログラムチェーン（PGC：Program Chain ）としてデータが記録されている。ＰＧＣは、メニュー又はタイトル又はその一部を提供する論理ユニットであり、ＰＧＣＩに基づいて構成される。１つのＰＧＣは、整数個のＰＧに分割されている。ＰＧは、ＰＧＣの内容を分割した単位であり、１つのＰＧは、整数個のセル（Cell）からなる。ＤＶＤ−ＶＩＤＥＯディスクの再生装置では、ＰＧＣＩを再生して、ＰＧＣＩに基づいてＰＧＣを再生する。ＰＧは、ＰＧＣＩにおいて定義されるセル（Cell）の集まりである。ＰＧＣＩは、プレ・コマンドエリア及びポスト・コマンドエリアとプレゼンテーション・コントロールブロックからなり、プレゼンテーション・コントロールブロックによりセルの再生順序とＶＯＢのプレゼンテーションを制御するためのナビゲーションデータを与えるようになっている。


【手続補正９】
【補正対象書類名】明細書
【補正対象項目名】００１５
【補正方法】変更
【補正の内容】
【００１５】
上記ＰＧＣＩは、図１６に示すように、ＰＧＣ全体情報（PGC_GI：Program Chain General Information）、ＰＧＣコマンドテーブル（PGC_CMDT：Program Chain Command Table）、ＰＧＣプログラムマップ（PGC_PGMAP：Program Chain Program Map）、セル再生情報テーブル（C_PBIT：Cell Playback Information Table ）、セル位置情報テーブル（C_POSIT：Cell Position Information Table）を構成する。


【手続補正１０】
【補正対象書類名】明細書
【補正対象項目名】００１７
【補正方法】変更
【補正の内容】
【００１７】
また、上記Ｃ＿ＰＢＩＴは、ＰＧＣにおけるセル（Cell）のプレゼンテーションの順序を定義するテーブルであって、図１８に示すように、セル再生情報（C_PBI：Cell Playback Information）が連続的に記述されている。そして、このＣ＿ＰＢＩは、図１９に示すように、セルカテゴリー（C_CAT：Cell Category）、セル再生時間（C_PBTM：Cell Playback Time）、セル（Cell）の先頭ＶＯＢＵの開始アドレス（C_FVOBU_SA：Start address of the First VOBU in Cell）、セル（Cell）の先頭ＶＯＢＵの終了アドレス（C_FVOBU_EA：End address of the First VOBU in Cell：）、セル（Cell）の最終ＶＯＢＵの開始アドレス（C_LVOBU_SA：Start address of the Last VOBU in Cell） 、セル（Cell）の最終ＶＯＢＵの終了アドレス（C_LVOBU_SA：End address of the Last VOBU in Cell：）からなる。


【手続補正１１】
【補正対象書類名】明細書
【補正対象項目名】００２３
【補正方法】変更
【補正の内容】
【００２３】
【課題を解決するための手段】
本発明は、アングルの異なる画像情報が複数のインターリーブドユニット（ILVU：Interleaved Unit）に分割されインターリーブされたビデオオブジェクトユニット（VOBU：Video Object Unit） を含む複数のＶＯＢＵからなるセル構造の画像情報がプレゼンテーションのエッセンス及び順序を述べたＰＧＣ情報（PGCI：PGC Information）に基づいて整数個のプログラム（PG：Program）により構成されるプログラムチェーン（PGC：Program Chain）として記録された記録媒体から、ＰＣＩに基づいてＰＧＣを再生するデータ再生装置であって、変速再生時に、アングル切り換えコマンドを受け付けてアングル切り換えを行う制御を行う制御手段を備えることを特徴とする.。
本発明に係るデータ再生装置において、上記制御手段は、例えば、ポーズ動作時にアングル切り換えコマンドを受け付け、セル内のタイムコードサーチにより目的のアングルの画像を得るべきＶＯＢＵの再生アドレスを求めて、静止画を出力する制御を行う。また、上記制御手段は、予め設定されたＡ点とＢ点との間を繰り返し再生するＡ−Ｂリピート動作時に、アングル切り換えコマンドを受け付け、アングル切り換えコマンドにより指定された新たなアングルの画像へのアングル切り換えを行い、セル内のタイムコードサーチによりアングル切り換えコマンドにより指定された新たなアングルの画像をＡ点とＢ点の再生アドレスを求めて、アングル切り換えされた新たなアングルの画像をＡ点とＢ点との間で繰り返し再生する制御を行う。また、上記制御手段は、順方向高速再生時にアングル切り換えコマンドを受け付けると、インターリーブされたビデオオブジェクトユニットの終了アドレスを越える時点でアングル切り換えを実行する制御を行う。さらに、上記制御手段は、逆方向再生時にアングル切り換えコマンドを受け付けると、インターリーブされたビデオオブジェクトユニットの先頭アドレスを越えるまで逆方向再生を行い、上記先頭アドレスを越えた時点でアングル切り換えを実行し、さらに、逆方向再生を行う制御を行う。


【手続補正１２】
【補正対象書類名】明細書
【補正対象項目名】００２４
【補正方法】変更
【補正の内容】
【００２４】
また、本発明には、アングルの異なる画像情報が複数のインターリーブドユニット（ILVU：Interleaved Unit）に分割されインターリーブされたビデオオブジェクトユニット（VOBU：Video Object Unit） を含む複数のＶＯＢＵからなるセル構造の画像情報がプレゼンテーションのエッセンス及び順序を述べたＰＧＣ情報（PGCI：PGC Information）に基づいて整数個のプログラム（PG：Program）により構成されるプログラムチェーン（PGC：Program Chain）として記録された記録媒体から、ＰＣＩに基づいてＰＧＣを再生するデータ再生方法であって、ポーズ動作時に、アングル切り換えコマンドを受け付け、セル内のタイムコードサーチにより目的のアングルの画像を得るべきＶＯＢＵの再生アドレスを求めて、静止画を出力することを特徴とする。


【手続補正１３】
【補正対象書類名】明細書
【補正対象項目名】００２５
【補正方法】変更
【補正の内容】
【００２５】
また、アングルの異なる画像情報が複数のインターリーブドユニット（ILVU：Interleaved Unit）に分割されインターリーブされたビデオオブジェクトユニット（VOBU：Video Object Unit） を含む複数のＶＯＢＵからなるセル構造の画像情報がプレゼンテーションのエッセンス及び順序を述べたＰＧＣ情報（PGCI：PGC Information）に基づいて整数個のプログラム（PG：Program）により構成されるプログラムチェーン（PGC：Program Chain）として記録された記録媒体から、ＰＣＩに基づいてＰＧＣを再生するデータ再生方法であって、予め設定されたＡ点とＢ点との間を繰り返し再生するＡ−Ｂリピート動作時に、アングル切り換えコマンドを受け付け、アングル切り換えコマンドにより指定された新たなアングルの画像へのアングル切り換えを行い、セル内のタイムコードサーチによりアングル切り換えコマンドにより指定された新たなアングルの画像をＡ点とＢ点の再生アドレスを求めて、アングル切り換えされた新たなアングルの画像をＡ点とＢ点との間で繰り返し再生することを特徴とする。


【手続補正１４】
【補正対象書類名】明細書
【補正対象項目名】００５１
【補正方法】変更
【補正の内容】
【００５１】
すなわち、上記コントローラ１１は、例えば図２２のフローチャートに示すように、ポーズ中にアングル切り換えコマンドが発生すると（ステップＳ１）、先ず、現在の表示画のビデオオブジェクトユニット（VOBU：Video Object Unit） のセル経過時間（C_ELTM：Cell Elapse Time）をメモリ１３に記憶し（ステップＳ２）、現在のアングル番号を示す変数ＡＮを目的のアングル番号（AGLN：Angle number）とする（ステップＳ３）。次に、このＡＮに従って現在のセル番号（CN：Cell Number） を決定して（ステップＳ４）、セル再生情報テーブル（C_PBIT：Cell Playback Information Table）より上記ＣＮの先頭のＶＯＢＵの開始アドレス（VOBU_SA：VOBU start address） を取得する（ステップＳ５）。そして、このＶＯＢＵ＿ＳＡと記憶したＣ＿ＥＬＴＭを基に、セル内のタイムコード（TC：Time Code） サーチを行ってから（ステップＳ６）、目的のアングル番号の静止画を出力する（ステップＳ７）。


【手続補正１５】
【補正対象書類名】明細書
【補正対象項目名】００５２
【補正方法】変更
【補正の内容】
【００５２】
上記ステップＳ６のセル内のＴＣサーチは、図２３のフローチャートに従って行う。すなわち、セル内のＴＣサーチでは，先ず、ＶＯＢＵ＿ＳＡのナビゲーションパック（NV_PCK：Navigation Pack ）を取得する（ステップＳ１１）。次に、目的のＣ＿ＥＬＴＭと現在のＣ＿ＥＬＴＭとの差分を求め（ステップＳ１２）、差分に最も近いＶＯＢＵ＿ＳＡをＮＶ＿ＰＣＫのＶＯＢＵサーチ情報（VOBU_SRI：VOB Unit Search Information） より取得する（ステップＳ１３）。さらに、取得したＶＯＢＵ＿ＳＡが現在のＶＯＢＵ＿ＳＡか否かを判定し（ステップＳ１４）、その判定結果が「ＮＯ」であれば、取得したＶＯＢＵ＿ＳＡを現在のＶＯＢＵ＿ＳＡにして（ステップＳ１５）、上記ステップＳ１１に戻って、各ステップＳ１１〜Ｓ１４の処理を繰り返し行う。そして、上記ステップＳ１４における判定結果が「ＹＥＳ」であれば、このセル内のＴＣサーチ処理を終了して、上述のステップＳ７に移って目的のアングル番号の静止画を出力する。


【手続補正１６】
【補正対象書類名】明細書
【補正対象項目名】００５４
【補正方法】変更
【補正の内容】
【００５４】
また、上記コントローラ１１は、例えば図２４のフローチャートに示すように、Ａ点記憶のイベントが発生すると（ステップＳ２１）、Ａ点のセル番号（CN：Cell Number）、アングル番号（AGLN：Angle number） 及びＣ＿ＥＬＴＭを記憶する（ステップＳ２２）。そして、Ｂ点が決定されると（ステップＳ２３）、図２５の（Ａ）に示すようにＡ点（Ａ１・Ｃ＿ＥＬＴＭ）とＢ点（Ｂ１・Ｃ＿ＥＬＴＭ）との間を繰り返し再生するＡ−Ｂリピートの動作状態になる（ステップＳ２４）。


【手続補正１７】
【補正対象書類名】明細書
【補正対象項目名】００５７
【補正方法】変更
【補正の内容】
【００５７】
上記ステップＳ３３におけるＡ点（Ａ２・Ｃ＿ＥＬＴＭ）サーチは、図２７のフローチャートに従って行う。すなわち、Ａ点（Ａ２・Ｃ＿ＥＬＴＭ）サーチでは、先ず、上述のステップＳ２２で記憶したＣＮから現在のＡＮ（アングル番号２）を持つＡ点があるであろうＣＮを決定する（ステップＳ４１）。そして、セル再生情報テーブル（C_PBIT：Cell Playback Information Table）より上記ＣＮの先頭のＶＯＢＵの開始アドレス（VOBU_SA：VOBU start address） を取得して（ステップＳ４２）、このＶＯＢＵ＿ＳＡと記憶したＡ点のＣ＿ＥＬＴＭを基に、セル内のタイムコード（TC：Time Code） サーチを行う（ステップＳ４３）。このステップＳ４３におけるセル内のＴＣサーチは、上述の図２３のフローチャートに従って行う。


【手続補正１８】
【補正対象書類名】明細書
【補正対象項目名】００６５
【補正方法】変更
【補正の内容】
【００６５】
このステップＳ５５では、アングル切り換えコマンドに応じて受け付けたアングル番号（AGLN：Angle number）に従って、ＮＥＸＴ＿ＳＡをシームレスアングル情報（SML_AGLI：Angle Information for seamless）により変更する。そして、上記ステップＳ５１に戻ってＦＦ動作を継続する。


【手続補正１９】
【補正対象書類名】明細書
【補正対象項目名】図面の簡単な説明
【補正方法】変更
【補正の内容】
【図面の簡単な説明】
【図１】ＤＶＤ−ＶＩＤＥＯディスクにおけるボリューム構造を示す図である。
【図２】上記ボリューム構造におけるＶＭＧとＶＴＳの構造を示す図である。
【図３】ＶＯＢＳの構成を示す図である。
【図４】コンティギュアスブロックＣＴＧＢを示す図である。
【図５】インターリーブドユニットＩＬＶＵを示す図である。
【図６】ナビゲーションパックＮＶ＿ＰＣＫの構成を示す図である。
【図７】プレゼンテーション制御情報ＰＣＩの構成を示す図である。
【図８】ＰＣＩ全体情報ＰＣＩ＿ＧＩの構成を示す図である。
【図９】ＮＳＭＬ＿ＡＧＬＩによるアングル切り換えの状態を示す図である。
【図１０】データサーチ情報ＤＳＩの構成を示す図である。
【図１１】ＤＳＩ全体情報ＤＳＩ＿ＧＩの構成を示す図である。
【図１２】ＤＳＩのＶＯＢＵ＿１ＳＴＲＥＦ＿ＥＡ、ＶＯＢＵ＿２ＮＤＲＥＦ＿ＥＡ及びＶＯＢＵ＿３ＲＤＲＥＦ＿ＥＡにより指示される内容を示す図である。
【図１３】ＳＭＬ＿ＰＢＩの構成を示す図である。
【図１４】ＳＭＬ＿ＡＧＬＩによるシームレスアングルセル切り換えの状態を示す図である。
【図１５】ＤＶＤ−ＶＩＤＥＯディスクで採用されているプログラムチェーンＰＧＣ構造を示す図である。
【図１６】ＰＧＣＩの構成を示す図である。
【図１７】ＰＧＣ＿ＩＩの構成を示す図である。
【図１８】Ｃ＿ＰＢＩＴの構成を示す図である。
【図１９】Ｃ＿ＰＢＩの構成を示す図である。
【図２０】ＤＶＤ−ＶＩＤＥＯディスクの再生装置におけるユーザの操作入力によるドメイン間の状態遷移を示す図である。
【図２１】本発明を適用した光ディスク再生装置の構成を示すブロック図である。
【図２２】上記光ディスク再生装置におけるポーズ動作中のコントローラによるシームレスアングル切り換えの制御手順を示すフローチャートである。
【図２３】セル内のタイムコードサーチの手順を示すフローチャートである。
【図２４】上記光ディスク再生装置におけるＡ−Ｂリピートの制御手順を示すフローチャートである。
【図２５】Ａ−Ｂリピート中のシームレスアングル切り換えを状態を示す図である。
【図２６】Ａ−Ｂリピート中のコントローラによるシームレスアングル切り換えの制御手順を示すフローチャートである。
【図２７】上記Ａ−Ｂリピート中のシームレスアングル切り換えにおけるＡ点サーチ手順を示すフローチャートである。
【図２８】ＦＦ動作中のコントローラによるシームレスアングル切り換えの制御手順を示すフローチャートである。
【図２９】上記ＦＦ動作中のシームレスアングル切り換えを状態を示す図である。
【図３０】ＦＲ動作中のコントローラによるシームレスアングル切り換えの制御手順を示すフローチャートである。
【図３１】上記ＦＲ動作中のシームレスアングル切り換えを状態を示す図である。
【符号の説明】
１  記録媒体、２  ピックアップ、３  ＲＦ回路３、４  データデコーダ、５  デマルチプレクサ、６  ビデオデコーダ、７  副映像デコーダ、８  オーディオデコーダ、９  ＮＴＳＣ変換回路、１０  Ａ／Ｄ変換回路、１１  コントローラ、１２  ユーザーインターフェース、１３  メモリ、１００  光ディスク再生装置


【手続補正２０】
【補正対象書類名】図面
【補正対象項目名】図２２
【補正方法】変更
【補正の内容】
【図２２】
1998271452.tif 000001
【手続補正２１】
【補正対象書類名】図面
【補正対象項目名】図２３
【補正方法】変更
【補正の内容】
【図２３】
1998271452.tif 000002
【手続補正２２】
【補正対象書類名】図面
【補正対象項目名】図２６
【補正方法】変更
【補正の内容】
【図２６】
1998271452.tif 000003
【手続補正２３】
【補正対象書類名】図面
【補正対象項目名】図２７
【補正方法】変更
【補正の内容】
【図２７】
1998271452.tif 000004
【手続補正２４】
【補正対象書類名】図面
【補正対象項目名】図２８
【補正方法】変更
【補正の内容】
【図２８】
1998271452.tif 000005
【手続補正２５】
【補正対象書類名】図面
【補正対象項目名】図３０
【補正方法】変更
【補正の内容】
【図３０】
1998271452.tif 000006